(57)【要約】【課題】着脱リブがロック状態であってもホックと受け部とを係合可能とするタンクユニット着脱機構を提供することを目的とする。【解決手段】本発明に係るタンクユニット着脱機構２０によれば、ホック５２は着脱ボタン部５１に対してスライド可能に設置された可動体５３に形成されているため、何らかの原因により着脱リブ５６が押し込まれてロック状態になった場合でも、ホック５２と受け部５４とを係合状態とすることができる。これにより、設置部３０とタンクユニット４０との取り付けを常に完全に行うことができる。【選択図】図５
2010007898.tif 000002
【特許請求の範囲】
【請求項１】
着脱ボタンとして機能する着脱ボタン部と、
タンクユニットの受け部と係合可能なホックと、
当該ホックと前記受け部とを係合状態にするための第１弾性体と、
前記着脱ボタン部に形成された突状部と、
当該突状部と係合可能な切り欠き部を備えた着脱リブと、
当該着脱リブを突出させるための第２弾性体と、を有し、
前記ホックを備えた可動体を前記着脱ボタン部に対してスライド可能に設置し、さらに当該可動体に前記第１弾性体の一端が当接するようにしたことを特徴とするタンクユニット着脱機構。
【発明の詳細な説明】
【技術分野】
【０００１】
本発明は、液体を貯留するタンクを備えた電気機器等のタンクユニット着脱機構に関するものである。
【背景技術】
【０００２】
液体を貯留するタンクを備えた電気機器としては、例えば空間に水等の噴霧液をミスト化して噴霧し加湿を行う噴霧装置が挙げられる。これら噴霧装置などの液体を貯留するタンクを備えた電気機器等は、一般家庭の室内などの比較的面積の広い空間においては床に設置することが可能であるが、設置スペースの少ない車両内等の比較的狭い空間や噴霧装置の存在が外観上好ましくない一般企業のフロアやディスプレイ内等では、空間の上部である天井等に設置するタイプのものを使用することが好ましい。車両内の上部に設置する噴霧装置の例としては、下記［特許文献１］に開示された発明が挙げられる。
【０００３】
空間の上部に設置するタイプの噴霧装置においても床に設置するタイプの噴霧装置と同様、タンクユニット内に水等の噴霧液を供給するためにタンクユニットを適宜着脱する必要がある。しかしながら、特に車両上部に設置する噴霧装置では、車両の移動時の揺れや車両等を斜面などに駐停車した場合でもタンクユニットが脱落しないようタンクユニットの取り付けを完全に行わなければならない。
【０００４】
ここで、図６、図７に従来の噴霧装置のタンクユニット着脱機構の例を示す。図６は、従来のタンクユニット着脱機構を有する噴霧装置の概要を示す図である。従来のタンクユニット着脱機構１８を有する噴霧装置１１０は、車両の天井部等に設置される設置部３０と、ミストとなる噴霧液を貯留する貯液タンクを備え設置部３０に着脱可能なタンクユニット４０と、を有している。そして、設置部３０にはタンクユニット４０を設置可能な取り付け部３８と、取り付け部３８の両側面に形成された保持体６２と、従来のタンクユニット着脱機構１８と、を有している。また従来のタンクユニット着脱機構１８は、着脱ボタン５０と、当該着脱ボタン５０とともに動作するホック５２と、着脱ボタン５０と連動してタンクユニット４０の取り外し方向に突出する着脱リブ５６と、を有している。そして、取り付け部３８の設置面にはホック５２が設置面から突出可能なホック口５２ａが形成されている。また、タンクユニット４０には従来のタンクユニット着脱機構１８のホック５２と係合する受け部５４と、タンクユニット４０の両側面に形成された設置部３０の保持体６２と係合可能なストッパリブ６０と、を有している。
【０００５】
そして、設置部３０からタンクユニット４０を取り外す際には、従来のタンクユニット着脱機構１８の着脱ボタン５０を押下する。これにより、ホック５２と受け部５４との係合状態が解除するとともに、着脱リブ５６が所定量突出してタンクユニット４０が取り外し方向にスライドする。そして、設置部３０の保持体６２からタンクユニット４０のストッパリブ６０を取り外すことで、設置部３０からタンクユニット４０を取り外す。
【０００６】
次に、図７を用いて従来のタンクユニット着脱機構１８をさらに詳しく説明する。図７は従来のタンクユニット着脱機構１８を拡大して示した図である。従来のタンクユニット着脱機構１８を構成する着脱ボタン部５０ａは、一端が設置部３０から露出して着脱ボタン５０となり、もう一端側にホック５２が形成されている。着脱ボタン部５０ａの所定の位置には着脱ボタン部５０ａの長手方向に沿うようにバネ等の第１弾性体５８の一端が当接しており、第１弾性体５８のもう一端は設置部３０の図示しない第１弾性体支持部に当接している。また、着脱ボタン部５０ａの両側面には突状部５７が形成されている。
【０００７】
従来のタンクユニット着脱機構１８を構成する着脱リブ５６には切り欠き部５９が形成されており、切り欠き部５９と着脱ボタン部５０ａの突状部５７とは係合可能となっている。また、それぞれの着脱リブ５６の奥面にはバネ等の第２弾性体５８ａの一端が当接しており、第２弾性体５８のもう一端は設置部３０の図示しない第２弾性体支持部に当接している。
【０００８】
ここで、タンクユニット４０を取り外すために着脱ボタン５０を押下すると、図７（ｂ）に示すように、着脱ボタン部５０ａが図７における上方向にスライドし、ホック５２がホック口５２ａから設置部３０の内部に移動するとともに、突状部５７が着脱リブ５６の切り欠き部５９から外れる。突状部５７が切り欠き部５９から外れると、着脱リブ５６は第２弾性体５８ａの復元力により設置部３０の取り付け部３８側面から突出する。これにより、ホック５２と受け部５４との係合状態が解除されるとともに、着脱リブ５６の突出によりタンクユニット４０が取り外し方向にスライドする。
【０００９】
また、タンクユニット４０を取り付ける際には、タンクユニット４０をスライドさせてタンクユニット４０の側面により着脱リブ５６を設置部３０内に押し込む。着脱リブ５６が設置部３０内に押し込まれて、切り欠き部５９と突状部５７とが同位置に達すると着脱ボタン部５０ａは第１弾性体５８の復元力により図７における下方向にスライドし、ホック５２がホック口５２ａから突出して受け部５４と係合状態になるとともに、図７（ａ）に示すように突状部５７が切り欠き部５９に挿入され着脱リブ５６がロック状態となる。これにより、タンクユニット４０が設置部３０に取り付けられる。
【００１０】
【特許文献１】特開２００７−３１５６３３号公報
【発明の開示】
【発明が解決しようとする課題】
【００１１】
しかしながら、図７に示した従来のタンクユニット着脱機構１８では、何らかの原因で着脱リブ５６が押し込まれてロック状態となると、ホック５２はホック口５２ａから突出した状態で固定され、タンクユニット４０をスライドさせてもホック５２と受け部５４とが係合状態とはならない。このため、設置部３０とタンクユニット４０との取り付けが不完全となる場合があり、更なる改善が望まれる。
【００１２】
本発明は上記事情に鑑みてなされたものであり、着脱リブがロック状態であってもホックと受け部とを係合可能とするタンクユニット着脱機構を提供することを目的とする。
【課題を解決するための手段】
【００１３】
本発明は、
着脱ボタン５０として機能する着脱ボタン部５１と、
タンクユニット４０の受け部５４と係合可能なホック５２と、
当該ホック５２と前記受け部５４とを係合状態にするための第１弾性体５８と、
前記着脱ボタン部５１に形成された突状部５７と、
当該突状部５７と係合可能な切り欠き部５９を備えた着脱リブ５６と、
当該着脱リブ５６を突出させるための第２弾性体５８ａと、有し、
前記ホック５２を備えた可動体５３を前記着脱ボタン部５１に対してスライド可能に設置し、さらに当該可動体５３に前記第１弾性体５８の一端が当接するようにしたことを特徴とするタンクユニット着脱機構２０を提供することにより、上記課題を解決する。
【発明の効果】
【００１４】
本発明に係るタンクユニット着脱機構は、上記の構成により、
ホックを着脱ボタン部に対してスライド可能な可動体に形成することで、着脱リブがロック状態であってもホックと受け部とを係合可能とすることができる。これにより、設置部とタンクユニットとの取り付けを常に完全に行うことができる。
【発明を実施するための最良の形態】
【００１５】
本発明に係るタンクユニット着脱機構の実施の形態について図面に基づいて説明する。図１は、本発明に係るタンクユニット着脱機構を備えた噴霧装置の設置例を示す図である。図２は、本発明に係るタンクユニット着脱機構を備えた噴霧装置の設置部を示す図である。図３は、本発明に係るタンクユニット着脱機構を備えた噴霧装置のタンクユニットを示す図である。図４、図５は、本発明に係るタンクユニット着脱機構を示す図である。尚、従来の技術と同様な部位に関しては同符号にて示す。また、ここでは、車載用の噴霧装置を例に用いて説明を行うが、本発明は特に車載用に限定されるものでも噴霧装置に限定されるものでもなく、液体の気化熱を利用した冷風装置や空間の湿気を捕集してタンク内に貯留する除湿装置等のタンクユニット着脱機構にも適用が可能である。
【００１６】
先ず、本発明に係るタンクユニット着脱機構を備えた車載用の噴霧装置１００の例を図１〜図３を用いて説明する。図１に示す噴霧装置１００は、車両の天井部１に設置される設置部３０と、ミストとなる噴霧液を貯留する貯液タンク８０を備え設置部３０に着脱可能なタンクユニット４０と、を有している。そして、噴霧装置１００は車両のバッテリ等から電源ケーブル１２を介して電力を取得し、噴霧装置１００の各部に対し電力を供給する。また、設置部３０とタンクユニット４０とは、本発明に係るタンクユニット着脱機構を構成する着脱ボタン５０を操作することにより容易に取り外すことができる。尚、設置部３０には必要に応じて空調設備や照明等の付随設備１０を設けても良い。本例においては、付随設備１０として車内を照らすルームライトを設けた例を示す。
【００１７】
次に、上記の設置部３０とタンクユニット４０とを、図２、図３を用いて更に詳しく説明する。
【００１８】
図２は、タンクユニット４０を取り外した状態の設置部３０をタンクユニット４０の設置面側、即ち噴霧装置１００の設置状態における下方向から示した図である。噴霧装置１００の設置部３０は、タンクユニット４０とは別に独立して動作する付随設備１０と、電源ケーブル１２と、タンクユニット４０が設置可能な取り付け部３８と、を有している。また、設置部３０の内部には、付随設備１０及び設置部３０の各部を制御する制御部と、電源ケーブル１２から供給される電力を付随設備１０とタンクユニット４０とに供給する電力供給部と、を備えた設置部制御基板３４を有している。また、設置部制御基板３４の所定の位置には接触型の電源コネクタ３６ａが設置され、設置部３０はこの電源コネクタ３６ａを介してタンクユニット４０に電力を供給する。
【００１９】
設置部３０の取り付け部３８の両側面には保持体６２が形成され、この保持体６２とタンクユニット４０のストッパリブ６０とを係合することで、設置部３０にタンクユニット４０を取り付けることができる。また、取り付け部３８におけるタンクユニット４０の設置面には、設置部３０を車両の天井部１などにネジ等の締結部材を用いて固定するための設置孔１４と、設置部制御基板３４上の電源コネクタ３６ａを露出させるための電源コネクタ口３３ａと、を有している。さらに設置部３０には本発明に係るタンクユニット着脱機構２０が設置され、タンクユニット着脱機構２０は着脱ボタン５０と、当該着脱ボタン５０と連動してタンクユニット４０の取り外し方向に突出する着脱リブ５６と、取り付け部３８のホック口５２ａから出入り可能なホック５２と、を有している。
【００２０】
また図３は、設置部３０から取り外した状態のタンクユニット４０をタンクユニット４０の設置面側、即ち噴霧装置１００の設置状態における上方向から示した図である。噴霧装置１００のタンクユニット４０内には、ミストとなる噴霧液を貯留する貯液タンク８０が設置されている。また、タンクユニット４０には、貯液タンク８０に貯留された噴霧液をミスト化し噴霧口７２から空間に噴霧する噴霧装置７０と、設置部３０のホック５２と係合する受け部５４と、を有している。更に、タンクユニット４０の両側面には、設置部３０の保持体６２と係合可能なストッパリブ６０が形成されている。
【００２１】
また、噴霧液を貯留する貯液タンク８０は、貯液タンク８０内に噴霧液を供給するための供給口８２と、供給口８２を開閉するためのキャップ８２ａと、を有している。
【００２２】
また、タンクユニット４０の内部には、噴霧装置７０を制御する噴霧装置制御部を備えるとともにタンクユニット４０の各部を制御するタンクユニット制御基板４６が設置されている。また、タンクユニット制御基板４６は、設置部３０の電源コネクタ３６ａと接触することで設置部３０から電力を取得する電源コネクタ３６ｂを有しており、電源コネクタ３６ｂはタンクユニット４０の所定の位置に形成された電源コネクタ口３３ｂにより露出している。尚、電源コネクタ口３３ｂには、貯液タンク８０への供給時に噴霧液等が電源コネクタ３６ｂに付着することを防止するスライド式の保護カバー１６を設けても良い。
【００２３】
噴霧液としては水道水の他、保湿性を有するヒアルロン酸水溶液や芳香成分が溶解した水溶液等、人体に悪影響を及ぼさない各種の液体を用いることができる。また、噴霧液に電解液を用いるとともに、タンクユニット４０の所定の部位に貯液タンク８０内に貯留された噴霧液（電解液）を電解する電解手段を設け、電解手段で電解された電解液をミスト化して空間に噴霧するようにしても良い。この構成によれば、噴霧される電解液の効果により空間に存在する病原体や花粉による健康被害をさらに抑制することが可能となる。尚、一般的な水道水中には消毒のための次亜塩素酸化合物が溶解しており、この次亜塩素酸化合物は水の電解を助けるため水道水をそのまま電解液として使用しても良い。
【００２４】
また、タンクユニット４０には、貯液タンク８０内の噴霧液が凍結した場合に、凍結した噴霧液を融解させるための加熱手段を設けても良い。
【００２５】
尚、上記の噴霧装置１００では、タンクユニット４０側に噴霧装置７０と噴霧装置制御部とを設けた例を用いているが、噴霧装置制御部を設置部制御基板３４上に形成するとともに噴霧装置７０を設置部３０側に設けても良い。
【００２６】
次に、噴霧装置１００の使用法を説明する。先ず、設置部３０の電源ケーブル１２と車両のバッテリ等からのケーブルとを接続する。次に、タンクユニット着脱機構２０の着脱ボタン５０を押下して、タンクユニット着脱機構２０のホック５２とタンクユニット４０の受け部５４との係合状態を解除する。このとき、着脱リブ５６が突出してタンクユニット４０が取り外し方向に所定量スライドする。そして、設置部３０の保持体６２からタンクユニット４０のストッパリブ６０を取り外すことで、設置部３０からタンクユニット４０を取り外す。次に、設置部３０の設置孔１４に所定の締結部材を挿入し、設置部３０を車両の天井部１などに固定する。
【００２７】
次に、貯液タンク８０のキャップ８２ａを取り外し供給口８２を開栓する。また、保護カバー１６をスライドさせて電源コネクタ口３３ｂを閉鎖する。次に、供給口８２から例えば水道水などの噴霧液を貯液タンク８０内に供給する。そして、貯液タンク８０内に所定量の噴霧液が貯留されたところで供給を停止し、キャップ８２ａを供給口８２に取り付けて供給口８２を閉栓する。
【００２８】
次に、保護カバー１６をスライドさせてタンクユニット４０の電源コネクタ口３３ｂを開け電源コネクタ３６ｂを露出させた後、タンクユニット４０のストッパリブ６０と設置部３０の保持体６２とを係合するとともに、タンクユニット着脱機構２０のホック５２とタンクユニット４０の受け部５４とを係合状態とする。これにより、タンクユニット４０は設置部３０の取り付け部３８に取り付けられる。このとき、設置部３０の電源コネクタ３６ａとタンクユニット４０の電源コネクタ３６ｂとは接続状態となり、タンクユニット４０に対し電源コネクタ３６ａ、３６ｂを介して電力が供給される。
【００２９】
次に、噴霧装置１００の図示しないミスト噴霧スイッチを操作する。これにより、噴霧装置制御部が噴霧装置７０を動作させ、噴霧装置７０は貯液タンク８０から吸液した噴霧液をミスト化して噴霧口７２から空間に噴霧する。また、付随設備１０に対する図示しない付随設備操作スイッチを操作することで、噴霧装置１００の付随設備１０が噴霧装置７０とは別に独立して所定の動作を行う。
【００３０】
次に、本発明に係るタンクユニット着脱機構２０を図４、図５を用いてさらに詳しく説明する。図４に示すように、本発明に係るタンクユニット着脱機構２０は、従来のタンクユニット着脱機構１８と同様、切り欠き部５９を有する着脱リブ５６と、一端が着脱リブ５６の奥面に当接しもう一端が設置部３０の図示しない第２弾性体支持部に当接している第２弾性体５８ａと、を有している。また、タンクユニット着脱機構２０は、所定の位置にホック５２が形成された可動体５３と、一端が設置部３０から露出して着脱ボタン５０となりもう一端側には可動体５３を当該可動体５３の長手方向に可動な状態で設置可能な着脱ボタン部５１と、を有している。可動体５３の所定の位置には可動体５３の長手方向に沿うように第１弾性体５８の一端が当接しており、第１弾性体５８のもう一端は設置部３０の図示しない第１弾性体支持部に当接している。また、着脱ボタン部５１の両側面には、着脱リブ５６の切り欠き部５９と係合可能な突状部５７が形成されており、突状部５７と着脱リブ５６の切り欠き部５９とを係合することで着脱リブ５６をロック状態とする。
【００３１】
ここで、タンクユニット４０を取り外すために着脱ボタン５０を押下すると、図４（ｂ）に示すように、着脱ボタン部５１が図４における上方向にスライドし、これに伴って可動体５３も上方向にスライドする。これにより、ホック５２がホック口５２ａから設置部３０の内部に移動するとともに、着脱ボタン部５１の突状部５７が着脱リブ５６の切り欠き部５９から外れる。突状部５７が切り欠き部５９から外れると、着脱リブ５６は第２弾性体５８ａの復元力により設置部３０の取り付け部３８側面から突出する。これにより、ホック５２と受け部５４との係合状態が解除されるとともに、着脱リブ５６の突出によりタンクユニット４０が取り外し方向にスライドする。
【００３２】
また、タンクユニット４０を取り付ける際には、タンクユニット４０をスライドさせてタンクユニット４０の側面により着脱リブ５６を設置部３０内に押し込む。着脱リブ５６が設置部３０内に押し込まれて、切り欠き部５９と突状部５７とが同位置に達すると着脱ボタン部５１は可動体５３とともに第１弾性体５８の復元力により図４における下方向にスライドし、ホック５２がホック口５２ａから突出して受け部５４と係合状態になるとともに、図４（ａ）に示すように突状部５７が切り欠き部５９に挿入され着脱リブ５６がロック状態となる。これにより、タンクユニット４０が設置部３０に取り付けられる。
【００３３】
また、図５（ａ）に示すように、何らかの原因により着脱リブ５６が押し込まれてロック状態になったとしても、本発明に係るタンクユニット着脱機構２０は従来のタンクユニット着脱機構１８と異なり、ホック５２は着脱ボタン部５１に対してスライド可能に設置された可動体５３に形成されているため、図５（ｂ）に示すように、可動体５３はタンクユニット４０をスライドさせることで着脱ボタン部５１から独立して上方向にスライドし、タンクユニット４０の受け部５４がホック５２との係合位置に達すると可動体５３が第１弾性体５８の復元力により下方向にスライドしホック５２と受け部５４とが係合状態となる。
【００３４】
以上のことから、本発明に係るタンクユニット着脱機構２０によれば、ホック５２は着脱ボタン部５１に対してスライド可能に設置された可動体５３に形成されているため、何らかの原因により着脱リブ５６が押し込まれてロック状態になった場合でも、ホック５２と受け部５４とを係合状態とすることができる。これにより、設置部３０とタンクユニット４０との取り付けを常に完全に行うことができる。
【００３５】
尚、本例はタンクユニット着脱機構２０の好適な一例であるから、各部の形状、配置等は適宜変更しても良い他、本発明は本発明の要旨を逸脱しない範囲で変更して実施することが可能である。
【図面の簡単な説明】
【００３６】
【図１】本発明に係るタンクユニット着脱機構を備えた噴霧装置の設置例を示す図である。
【図２】本発明に係るタンクユニット着脱機構を備えた噴霧装置の設置部を示す図である。
【図３】本発明に係るタンクユニット着脱機構を備えた噴霧装置のタンクユニットを示す図である。
【図４】本発明に係るタンクユニット着脱機構を示す図である。
【図５】本発明に係るタンクユニット着脱機構を示す図である。
【図６】従来のタンクユニット着脱機構を有する噴霧装置の概要を示す図である。
【図７】従来のタンクユニット着脱機構を示す図である。
【符号の説明】
【００３７】
２０      タンクユニット着脱機構
４０      タンクユニット
５０      着脱ボタン
５１      着脱ボタン部
５２      ホック
５３      可動体
５４      受け部
５６      着脱リブ
５７      突状部
５８      第１弾性体
５８ａ    第２弾性体
５９      切り欠き部
【図１】
2010007898.tif 000003
【図２】
2010007898.tif 000004
【図３】
2010007898.tif 000005
【図４】
2010007898.tif 000006
【図５】
2010007898.tif 000007
【図６】
2010007898.tif 000008
【図７】
2010007898.tif 000009